(57)【特許請求の範囲】
【請求項１】
取水した被処理水に紫外線を照射して水中の微生物を殺菌処理し、処理水をバラストタンクに貯留するバラスト水処理装置であって、
バラスト水処理ライン上に、被処理水を汲み上げて圧送するポンプと、フィルタと、汲み上げた被処理水に対して紫外線照射を行う紫外線照射ユニットと、紫外線照射ユニットの紫外線ランプの照度を検出する紫外線照射センサと、紫外線を照射して処理した処理水を貯留するバラストタンクと、船外排出手段とを備え、
さらに、被処理水を通過させながら前記紫外線照射センサで検出した前記紫外線ランプの照度が所定照度になるまで被処理水を前記船外排出手段で船外に排出し、前記紫外線ランプの照度が所定照度になったら前記バラストタンクへ注水する制御手段を備えたことを特徴とするバラスト水処理装置。
【請求項２】
取水した被処理水に紫外線を照射して水中の微生物を殺菌処理し、処理水をバラストタンクに貯留するバラスト水処理装置であって、
バラスト水処理ライン上に、被処理水を汲み上げて圧送するポンプと、フィルタと、汲み上げた被処理水に対して紫外線照射を行う紫外線照射ユニットと、紫外線照射ユニットの紫外線ランプの照度を検出する紫外線照射センサと、紫外線を照射して処理した処理水を貯留するバラストタンクと、船外排出手段とを備え、
前記バラスト水処理ラインには、前記紫外線照射ユニットをバイパスする未処理水排水バイパスラインを接続し、
さらに、被処理水の汲み上げ開始から所定時間、被処理水を前記未処理水排水バイパスラインを通過させ前記紫外線照射ユニットをバイパスさせて前記船外排出手段で船外に排出し、所定時間が経過したら前記未処理水排水バイパスラインを閉じて、被処理水を前記紫外線照射ユニットへ通し、紫外線を照射して、前記紫外線照射センサで検出した前記紫外線ランプの照度が所定照度になるまで被処理水の船外排出を続け、前記紫外線ランプの照度が所定照度になったら前記バラストタンクへ注水する制御手段を備えたことを特徴とするバラスト水処理装置。
【請求項３】
取水した被処理水に紫外線を照射して水中の微生物を殺菌処理し、処理水をバラストタンクに貯留するバラスト水処理装置であって、
バラスト水処理ライン上に、被処理水を汲み上げて圧送するポンプと、フィルタと、汲み上げた被処理水に対して紫外線照射を行う紫外線照射ユニットと、紫外線照射ユニットの紫外線ランプの照度を検出する紫外線照射センサと、紫外線を照射して処理した処理水を貯留するバラストタンクと、船外排出手段とを備え、
前記バラスト水処理ラインには、前記紫外線照射ユニットをバイパスする未処理水排水バイパスラインを接続し、また未処理水を排出するラインに濁度測定手段を備え、
さらに、被処理水の汲み上げ開始時には、被処理水を前記未処理水排水バイパスラインを通過させ前記紫外線照射ユニットをバイパスさせて前記船外排出手段で船外に排出し、前記濁度測定手段で前記未処理水排水バイパスラインを通過する被処理水の濁度が所定の濁度以下になったことを検出したら、前記未処理水排水バイパスラインを閉じて、被処理水を前記紫外線照射ユニットへ通し、紫外線を照射して、前記紫外線照射センサで検出した前記紫外線ランプの照度が所定照度になるまで被処理水の船外排出を続け、前記紫外線ランプの照度が所定照度になったら前記バラストタンクへ注水する制御手段を備えたことを特徴とするバラスト水処理装置。
【請求項４】
取水した被処理水に紫外線を照射して水中の微生物を殺菌処理し、処理水をバラストタンクに貯留するバラスト水処理装置であって、
バラスト水処理ライン上に、被処理水を汲み上げて圧送するポンプと、フィルタと、汲み上げた被処理水に対して紫外線照射を行う紫外線照射ユニットと、紫外線照射ユニットの紫外線ランプの照度を検出する紫外線照射センサと、紫外線を照射して処理した処理水を貯留するバラストタンクと、船外排出手段とを備え、
前記バラスト水処理ラインには、前記紫外線照射ユニットをバイパスする未処理水排水バイパスラインを接続し、また未処理水を排出するラインに濁度測定手段を備え、
さらに、前記濁度測定手段で検出した濁度の時間変化を記憶する濁度変化記憶手段と濁度の時間変化を判定する判定手段を有する制御手段を備え、前記制御手段は、被処理水の汲み上げ開始時には、被処理水を前記未処理水排水バイパスラインを通過させ前記紫外線照射ユニットをバイパスさせて前記船外排出手段で船外に排出し、前記濁度測定手段で検出した前記未処理水排水バイパスラインを通過する被処理水の濁度の時間変化が所定範囲以下となったことを判定したら、紫外線照射ユニットの紫外線出力を検出された濁度に応じた紫外線出力に調整し、前記未処理水排水バイパスラインを閉じて、被処理水を前記紫外線照射ユニットへ通し、紫外線を照射して、前記紫外線照射センサで検出した前記紫外線ランプの照度が所定照度になるまで被処理水の船外排出を続け、前記紫外線ランプの照度が所定照度になったら前記バラストタンクへ注水する制御手段を備えたことを特徴とするバラスト水処理装置。
【請求項５】
取水した被処理水に紫外線を照射して水中の微生物を殺菌処理し、処理水をバラストタンクに貯留するバラスト水処理装置であって、
バラスト水処理ライン上に、被処理水を汲み上げて圧送するポンプと、フィルタと、汲み上げた被処理水に対して紫外線照射を行う紫外線照射ユニットと、紫外線照射ユニットの紫外線ランプの照度を検出する紫外線照射センサと、汲み上げた被処理水の流量を計測する流量計と、紫外線を照射して処理した処理水を貯留するバラストタンクと、船外排出手段とを備え、
前記バラスト水処理ラインには、前記紫外線照射ユニットをバイパスする未処理水排水バイパスラインを接続し、
さらに、被処理水の汲み上げ開始時には、被処理水を前記未処理水排水バイパスラインを通過させ前記紫外線照射ユニットをバイパスさせて前記船外排出手段で船外に排出し、前記流量計で前記バラスト水処理ラインを通過する被処理水の流量が所定の流量になったことを検出したら、前記未処理水排水バイパスラインを閉じて、被処理水を前記紫外線照射ユニットへ通し、紫外線を照射して、前記紫外線照射センサで検出した前記紫外線ランプの照度が所定照度になるまで被処理水の船外排出を続け、前記紫外線ランプの照度が所定照度になったら前記バラストタンクへ注水する制御手段を備えたことを特徴とするバラスト水処理装置。
【請求項６】
前記バラスト水処理ラインには、前記フィルタをバイパスするフィルタバイパスラインが接続され、
また、前記制御手段は、被処理水の汲み上げ開始時には、被処理水を前記フィルタをバイパスさせ、前記紫外線ランプの照度が所定照度の直前の照度に達した時点で前記フィルタバイパスラインを閉じて被処理水を前記フィルタへ通すようになっていることを特徴とする請求項１乃至５のいずれか１に記載のバラスト水処理装置。
【請求項７】
前記バラスト水処理ラインには、前記フィルタをバイパスするフィルタバイパスラインが接続され、
また、前記制御手段は、被処理水の汲み上げ開始時には、被処理水を前記フィルタをバイパスさせ、前記紫外線ランプの照度が所定照度になったら前記フィルタバイパスラインを閉じて被処理水を前記フィルタへ通すとともに、前記紫外線ランプの照度が所定照度になった時点から所定時間遅延させて前記バラストタンクへ注水するようになっていることを特徴とする請求項１乃至５のいずれか１に記載のバラスト水処理装置。
【発明の詳細な説明】
【技術分野】
【０００１】
本発明は、船舶に貯留されるバラスト水を無害化するバラスト水処理装置に関する。
【背景技術】
【０００２】
タンカーや貨物運搬船などの船舶にあっては、貨物を搬出先まで運搬し、貨物を港で荷下ろしした後、船舶の安定性を保つため、停泊域の海水或いは淡水をバラスト水として船内のバラストタンク内へ貯留させて荷積港へ航海し、貨物を積載する港でこのバラスト水を排出するといったことが行われている。
このため、バラスト水中に微生物が生存していた場合、バラスト水を排出した海域の環境を損なうおそれがあることから、バラスト水をバラストタンクに貯留する際に、バラスト水中の微生物を殺滅して無害化処理することが要求されている。
【０００３】
バラスト水中の微生物を殺滅して無害化処理する手段として、バラスト水として汲み上げた被処理水に紫外線を照射して処理する紫外線処理法が知られている（例えば、特許文献１参照。）。しかし、バラスト水を汲み上げる際、汲み上げ初期は船舶周囲の水が乱れて海底の砂や泥が巻き上げられ、水中の濁度が上昇してしまい、汲み上げた被処理水の紫外線透過率が低下し、紫外線の照度不足から被処理物の殺菌処理が不十分な状態でバラスト水としてバラストタンクに流入してしまうといった危険性がある。
このような危険性を回避する水処理技術として、被処理水の濁度を検出し、濁度に応じて紫外線の照度を調節する紫外線殺菌方法（特許文献２参照。）や、被処理水の濁度を検出し、紫外線の照度が微生物の殺滅に対して十分になったことを確認したら通水する流水殺菌方法（特許文献３参照。）が開示されている。
【先行技術文献】
【特許文献】
【０００４】
【特許文献１】特開２００６−２４８５１０号公報
【特許文献２】特開２０００−１８５２８０号公報
【特許文献３】特開平１０−１０９０９０号公報
【発明の概要】
【発明が解決しようとする課題】
【０００５】
しかしながら、上記の特許文献２，３で開示されている水処理技術を、例えば、バラスト水処理に利用する場合、特許文献２で開示されている紫外線殺菌方法では、急激な濁度の変化に紫外線照射量の制御が追いつかず、また、汲み上げ開始直後の被処理水の濁度は非常に高いため紫外線の照射出力を１００％まで上昇させても十分な紫外線の照射量が得られないため、紫外線の照射量不足から被処理水の殺菌処理が不十分な状態でバラスト水としてバラストタンクに流入してしまうといった問題がある。
また、特許文献３で開示されている流水殺菌方法では、濁りが非常にわずかな水道水を被処理水として、紫外線の照射量が十分になった段階で通水するものであるが、前記のとおり、バラスト水の処理においては、汲み上げ開始直後の被処理水の濁度は非常に高く、紫外線の照射出力を１００％として運転しても十分な紫外線の照射量が得られないことから、結果として汲み上げ開始直後の被処理水の処理が不十分のままとなってしまうという問題がある。
【０００６】
本発明の目的は、バラスト水の無害化処理を確実に且つ効率よく行えるようにしたバラスト水処理装置を提供することにある。
【課題を解決するための手段】
【０００７】
上記の目的を達成するために、請求項１に記載の発明は、取水した被処理水に紫外線を照射して水中の微生物を殺菌処理し、処理水をバラストタンクに貯留するバラスト水処理装置であって、バラスト水処理ライン上に、被処理水を汲み上げて圧送するポンプと、フィルタと、汲み上げた被処理水に対して紫外線照射を行う紫外線照射ユニットと、紫外線照射ユニットの紫外線ランプの照度を検出する紫外線照射センサと、紫外線を照射して処理した処理水を貯留するバラストタンクと、船外排出手段とを備え、さらに、被処理水を通過させながら前記紫外線照射センサで検出した前記紫外線ランプの照度が所定照度になるまで被処理水を前記船外排出手段で船外に排出し、前記紫外線ランプの照度が所定照度になったら前記バラストタンクへ注水する制御手段を備えたことを特徴とする。
【０００８】
請求項１に記載の発明によれば、被処理水を通過させながら前記紫外線照射センサで検出した前記紫外線ランプの照度が所定照度になるまで被処理水を前記船外排出手段で船外に排出し、前記紫外線ランプの照度が所定照度になったら前記バラストタンクへ注水するので、汲み上げ開始直後の濁度が非常に高く、紫外線ランプの照射による無害化処理が不十分のままにある被処理水は船外に排出され、所定照度になった前記紫外線ランプにより紫外線照射され無害化処理された処理水をバラスト水としてバラストタンクへ送り込むことができる。
【０００９】
請求項２に記載の発明は、取水した被処理水に紫外線を照射して水中の微生物を殺菌処理し、処理水をバラストタンクに貯留するバラスト水処理装置であって、バラスト水処理ライン上に、被処理水を汲み上げて圧送するポンプと、フィルタと、汲み上げた被処理水に対して紫外線照射を行う紫外線照射ユニットと、紫外線照射ユニットの紫外線ランプの照度を検出する紫外線照射センサと、紫外線を照射して処理した処理水を貯留するバラストタンクと、船外排出手段とを備え、前記バラスト水処理ラインには、前記紫外線照射ユニットをバイパスする未処理水排水バイパスラインを接続し、さらに、被処理水の汲み上げ開始から所定時間、被処理水を前記未処理水排水バイパスラインを通過させ前記紫外線照射ユニットをバイパスさせて前記船外排出手段で船外に排出し、所定時間が経過したら前記未処理水排水バイパスラインを閉じて、被処理水を前記紫外線照射ユニットへ通し、紫外線を照射して、前記紫外線照射センサで検出した前記紫外線ランプの照度が所定照度になるまで被処理水の船外排出を続け、前記紫外線ランプの照度が所定照度になったら前記バラストタンクへ注水する制御手段を備えたことを特徴とする。
【００１０】
請求項２に記載の発明によれば、被処理水の汲み上げ開始から所定時間、被処理水を、前記紫外線照射ユニットをバイパスさせて船外に排出し、所定時間が経過したら被処理水を前記紫外線照射ユニットへ通し紫外線を照射するので、被処理水の汲み上げ開始直後の濁度の高い被処理水はそのまま船外に排出され、所定時間経過後の濁度が低下した被処理水に紫外線を照射することになり、前記紫外線ランプの消耗を軽減することができる。
そして、紫外線を照射して、前記紫外線照射センサで検出した前記紫外線ランプの照度が所定照度になるまで被処理水の船外排出を続け、前記紫外線ランプの照度が所定照度になったら前記バラストタンクへ注水するので、所定照度になった前記紫外線ランプにより紫外線照射され無害化処理された処理水をバラスト水としてバラストタンクへ送り込むことができる。
【００１１】
請求項３に記載の発明は、取水した被処理水に紫外線を照射して水中の微生物を殺菌処理し、処理水をバラストタンクに貯留するバラスト水処理装置であって、バラスト水処理ライン上に、被処理水を汲み上げて圧送するポンプと、フィルタと、汲み上げた被処理水に対して紫外線照射を行う紫外線照射ユニットと、紫外線照射ユニットの紫外線ランプの照度を検出する紫外線照射センサと、紫外線を照射して処理した処理水を貯留するバラストタンクと、船外排出手段とを備え、前記バラスト水処理ラインには、前記紫外線照射ユニットをバイパスする未処理水排水バイパスラインを接続し、また未処理水を排出するラインに濁度測定手段を備え、さらに、被処理水の汲み上げ開始時には、被処理水を前記未処理水排水バイパスラインを通過させ前記紫外線照射ユニットをバイパスさせて前記船外排出手段で船外に排出し、前記濁度測定手段で前記未処理水排水バイパスラインを通過する被処理水の濁度が所定の濁度以下になったことを検出したら、前記未処理水排水バイパスラインを閉じて、被処理水を前記紫外線照射ユニットへ通し、紫外線を照射して、前記紫外線照射センサで検出した前記紫外線ランプの照度が所定照度になるまで被処理水の船外排出を続け、前記紫外線ランプの照度が所定照度になったら前記バラストタンクへ注水する制御手段を備えたことを特徴とする。
【００１２】
請求項３に記載の発明によれば、被処理水の汲み上げ開始時には、被処理水を、前記紫外線照射ユニットをバイパスさせて船外に排出し、前記濁度測定手段で被処理水の濁度が所定の濁度以下になったことを検出したら、被処理水を前記紫外線照射ユニットへ通し紫外線を照射するので、濁度の高い被処理水はそのまま船外に排出され、所定の濁度以下になった被処理水に紫外線を照射することになり、前記紫外線ランプの消耗を軽減することができる。
そして、紫外線を照射して、前記紫外線照射センサで検出した前記紫外線ランプの照度が所定照度になるまで被処理水の船外排出を続け、前記紫外線ランプの照度が所定照度になったら前記バラストタンクへ注水するので、所定照度になった前記紫外線ランプにより紫外線照射され無害化処理された処理水をバラスト水としてバラストタンクへ送り込むことができる。
【００１３】
請求項４に記載の発明は、取水した被処理水に紫外線を照射して水中の微生物を殺菌処理し、処理水をバラストタンクに貯留するバラスト水処理装置であって、バラスト水処理ライン上に、被処理水を汲み上げて圧送するポンプと、フィルタと、汲み上げた被処理水に対して紫外線照射を行う紫外線照射ユニットと、紫外線照射ユニットの紫外線ランプの照度を検出する紫外線照射センサと、紫外線を照射して処理した処理水を貯留するバラストタンクと、船外排出手段とを備え、前記バラスト水処理ラインには、前記紫外線照射ユニットをバイパスする未処理水排水バイパスラインを接続し、また未処理水を排出するラインに濁度測定手段を備え、さらに、前記濁度測定手段で検出した濁度の時間変化を記憶する濁度変化記憶手段と濁度の時間変化を判定する判定手段を有する制御手段を備え、前記制御手段は、被処理水の汲み上げ開始時には、被処理水を前記未処理水排水バイパスラインを通過させ前記紫外線照射ユニットをバイパスさせて前記船外排出手段で船外に排出し、前記濁度測定手段で検出した前記未処理水排水バイパスラインを通過する被処理水の濁度の時間変化が所定範囲以下となったことを判定したら、紫外線照射ユニットの紫外線出力を検出された濁度に応じた紫外線出力に調整し、前記未処理水排水バイパスラインを閉じて、被処理水を前記紫外線照射ユニットへ通し、紫外線を照射して、前記紫外線照射センサで検出した前記紫外線ランプの照度が所定照度になるまで被処理水の船外排出を続け、前記紫外線ランプの照度が所定照度になったら前記バラストタンクへ注水する制御手段を備えたことを特徴とする。
【００１４】
請求項４に記載の発明によれば、被処理水の汲み上げ開始時には、被処理水を、前記紫外線照射ユニットをバイパスさせて船外に排出し、前記濁度測定手段で検出した被処理水の濁度の時間変化が所定範囲以下となったことを判定したら、紫外線照射ユニットの紫外線出力を検出された濁度に応じた紫外線出力に調整し、被処理水を前記紫外線照射ユニットへ通し紫外線を照射するので、濁度の高い被処理水はそのまま船外に排出され、被処理水の濁度の時間変化が所定範囲以下となったことを判定したら、紫外線照射ユニットの紫外線出力を検出された濁度に応じた紫外線出力に調整して被処理水に紫外線を照射することになり、紫外線照射ユニットの消費電力の低減が図れるとともに前記紫外線ランプの消耗を軽減することができる。
そして、紫外線を照射して、前記紫外線照射センサで検出した前記紫外線ランプの照度が所定照度になるまで被処理水の船外排出を続け、前記紫外線ランプの照度が所定照度になったら前記バラストタンクへ注水するので、所定照度になった前記紫外線ランプにより紫外線照射され無害化処理された処理水をバラスト水としてバラストタンクへ送り込むことができる。
【００１５】
請求項５に記載の発明は、取水した被処理水に紫外線を照射して水中の微生物を殺菌処理し、処理水をバラストタンクに貯留するバラスト水処理装置であって、バラスト水処理ライン上に、被処理水を汲み上げて圧送するポンプと、フィルタと、汲み上げた被処理水に対して紫外線照射を行う紫外線照射ユニットと、紫外線照射ユニットの紫外線ランプの照度を検出する紫外線照射センサと、汲み上げた被処理水の流量を計測する流量計と、紫外線を照射して処理した処理水を貯留するバラストタンクと、船外排出手段とを備え、前記バラスト水処理ラインには、前記紫外線照射ユニットをバイパスする未処理水排水バイパスラインを接続し、さらに、被処理水の汲み上げ開始時には、被処理水を前記未処理水排水バイパスラインを通過させ前記紫外線照射ユニットをバイパスさせて前記船外排出手段で船外に排出し、前記流量計で前記バラスト水処理ラインを通過する被処理水の流量が所定の流量になったことを検出したら、前記未処理水排水バイパスラインを閉じて、被処理水を前記紫外線照射ユニットへ通し、紫外線を照射して、前記紫外線照射センサで検出した前記紫外線ランプの照度が所定照度になるまで被処理水の船外排出を続け、前記紫外線ランプの照度が所定照度になったら前記バラストタンクへ注水する制御手段を備えたことを特徴とする。
【００１６】
請求項５に記載の発明によれば、被処理水の汲み上げ開始時には、被処理水を、前記紫外線照射ユニットをバイパスさせて船外に排出し、前記流量計で前記バラスト水処理ラインを通過する被処理水の流量が所定の流量になったことを検出したら、被処理水を前記紫外線照射ユニットへ通し、紫外線を照射するので、濁度の高い被処理水はそのまま船外に排出され、被処理水の流量が所定の流量になり、濁度が低下した被処理水に紫外線を照射することになり、前記紫外線ランプの消耗を軽減することができる。
そして、紫外線を照射して、前記紫外線照射センサで検出した前記紫外線ランプの照度が所定照度になるまで被処理水の船外排出を続け、前記紫外線ランプの照度が所定照度になったら前記バラストタンクへ注水するので、所定照度になった前記紫外線ランプにより紫外線照射され無害化処理された処理水をバラスト水としてバラストタンクへ送り込むことができる。
【００１７】
請求項６に記載の発明は、請求項１乃至５のいずれか１に記載の、前記バラスト水処理ラインには、前記フィルタをバイパスするフィルタバイパスラインが接続され、また、前記制御手段は、被処理水の汲み上げ開始時には、被処理水を前記フィルタをバイパスさせ、前記紫外線ランプの照度が所定照度の直前の照度に達した時点で前記フィルタバイパスラインを閉じて被処理水を前記フィルタへ通すようになっていることを特徴とする。
【００１８】
請求項６に記載の発明によれば、被処理水の汲み上げ開始時には、被処理水を前記フィルタをバイパスさせるので、前記フィルタの詰まりを軽減することができ、そして、前記紫外線ランプの照度が所定照度の直前の照度に達した時点で被処理水を前記フィルタへ通すので、フィルタサイズ以上の生物（微生物）が捕捉された処理水をバラスト水としてバラストタンクへ送り込むことができる。
【００１９】
請求項７に記載の発明は、請求項１乃至５のいずれか１に記載の、前記バラスト水処理ラインには、前記フィルタをバイパスするフィルタバイパスラインが接続され、また、前記制御手段は、被処理水の汲み上げ開始時には、被処理水を前記フィルタをバイパスさせ、前記紫外線ランプの照度が所定照度になったら前記フィルタバイパスラインを閉じて被処理水を前記フィルタへ通すとともに、前記紫外線ランプの照度が所定照度になった時点から所定時間遅延させて前記バラストタンクへ注水するようになっていることを特徴とする。
【００２０】
請求項７に記載の発明によれば、被処理水の汲み上げ開始時には、被処理水を前記フィルタをバイパスさせるので、前記フィルタの詰まりを軽減することができ、そして、前記紫外線ランプの照度が所定照度の直前の照度に達した時点で被処理水を前記フィルタへ通すので、フィルタサイズ以上の生物（微生物）が捕捉された処理水をバラスト水としてバラストタンクへ送り込むことができる。
また、前記紫外線ランプの照度が所定照度になった時点から所定時間遅延させて前記バラストタンクへ注水するので、前記紫外線ランプの照度が所定照度になった時点で、前記紫外線照射ユニットの下流側のバラスト水処理ラインに存在する無害化処理が不十分のままにある被処理水は船外に排出され、所定照度になった前記紫外線ランプにより紫外線照射されて確実に無害化処理された処理水のみをバラスト水としてバラストタンクへ送り込むことができる。
【発明の効果】
【００２１】
本発明に係るバラスト水処理装置によれば、被処理水を通過させながら、前記紫外線ランプの照度が所定照度となって所定量の紫外線照射量が得られるまで被処理水を前記船外排出手段で船外に排出し、前記紫外線ランプの照度が所定照度になったら前記バラストタンクへ注水するので、バラスト水の無害化処理を確実に且つ効率よく行うことができる。
【図面の簡単な説明】
【００２２】
【図１】本発明に係るバラスト水処理装置を実施するための形態の第１例を示す概略構成図である。
【図２】本発明に係るバラスト水処理装置を実施するための形態の第２例を示す概略構成図である。
【図３】本発明に係るバラスト水処理装置を実施するための形態の第３例、第４例を示す概略構成図である。
【図４】本発明に係るバラスト水処理装置を実施するための形態の第５例を示す概略構成図である。
【発明を実施するための形態】
【００２３】
以下、本発明に係るバラスト水処理装置を実施するための形態を、図面を参照して詳細に説明する。
まず、本発明に係るバラスト水処理装置の実施の形態の第１例を図１に示す概略構成図により説明する。
【００２４】
本例のバラスト水処理装置は、バラスト水処理ライン１上に、被処理水を汲み上げて圧送するポンプ２と、フィルタ３と、汲み上げた被処理水に対して紫外線照射を行う紫外線照射ユニット４と、紫外線照射ユニット４の紫外線ランプ（図示せず）の照度を検出する紫外線照射センサ５と、紫外線を照射して処理した処理水を貯留するバラストタンク６と、船外排出手段７とを備えている。
【００２５】
さらに、本例のバラスト水処理装置は、前記の被処理水を通過させながら紫外線照射センサ５で検出した紫外線ランプの照度が所定照度になるまで被処理水を船外排出手段７で船外に排出し、紫外線ランプの照度が所定照度になったらバラストタンク６へ注水する制御を行う第１制御機能を有する制御手段８を備えている。ここでいうところの紫外線ランプの所定照度とは、被処理水中に存在する微生物の殺滅に十分な照射量が得られる紫外線照度をいう。
【００２６】
さらに、詳細には、上流側のバラスト水処理ライン１には、ポンプ２とフィルタ３が、ポンプ２、フィルタ３の順で設けられている。また、バラスト水処理ライン１の上流端、本例ではポンプ２に被処理水汲み上げライン１０が接続している。また、紫外線照射ユニット４の下流側のバラスト水処理ライン１は、バラスト水注水ライン１１と船外排出ライン１２に分岐している。
【００２７】
また、本例では、バラスト水処理ライン１に、フィルタ３をバイパスするフィルタバイパスライン１３が接続されている。フィルタバイパスライン１３には、フィルタバイパス弁１４が設けられている。また、フィルタ３の上流側に接続されたフィルタバイパスライン１３とフィルタ３との間のバラスト水処理ライン１には処理水弁１５が設けられている。フィルタ３の下流側に接続されたフィルタバイパスライン１３と紫外線照射ユニット４との間のバラスト水処理ライン１には、逆流防止弁１６が設けられている。
また、バラスト水注水ライン１１と船外排出ライン１２との分岐部と紫外線照射ユニット４との間のバラスト水処理ライン１には、バラスト供給弁１７が設けられ、
バラスト水注水ライン１１にはバラスト注水弁１８が設けられ、そして、船外排出ライン１２には船外排出手段７を構成する船外排出弁１９が設けられている。
【００２８】
また、本例では、制御手段８は、所定照度の直前の照度を第一設定照度として設定しておき、被処理水の汲み上げ開始時には、フィルタ３をバイパスさせて紫外線照射ユニット４を通過させて船外排出手段７で被処理水を船外に排出し、紫外線照射センサ５で検出した紫外線ランプの照度が所定照度の直前の照度、即ち第一設定照度に達した時点でフィルタバイパスライン１３を閉じて被処理水をフィルタ３へ通し、バラストタンク６へ注水する制御を行う第２制御機能を有している。
第一設定照度は、所定照度の５０％〜９０％程度に設定されている。第一設定照度が所定照度の５０％未満であると、紫外線ランプの照度が所定照度に達するまで時間が掛かり、フィルタ３で濾過される水量が多くなり、フィルタ３の詰まりが早くなるおそれがある。
【００２９】
さらに、制御手段８は、被処理水の汲み上げ開始時には、フィルタ３をバイパスさせて紫外線照射ユニット４を通過させて船外排出手段７で被処理水を船外に排出し、紫外線照射センサ５で検出した紫外線ランプの照度が所定照度になったらフィルタバイパスライン１３を閉じて被処理水をフィルタ３へ通し、さらに被処理水の船外排出を続け、紫外線ランプの照度が所定照度になった時点から所定時間遅延させてバラストタンク６へ注水する制御を行う第３制御機能を有している。
ここでいう紫外線ランプの照度が所定照度になった時点から所定時間遅延させる遅延時間は、紫外線ランプの照度が所定照度になった時点で、紫外線照射ユニット４の下流側のバラスト水処理ライン１に存在する無害化処理が不十分のままにある被処理水が船外に排出されるまでの時間として設定されている。
【００３０】
制御手段８によるこれらの制御は、フィルタバイパス弁１４、処理水弁１５、逆流防止弁１６、バラスト供給弁１７、バラスト注水弁１８、船外排出弁１９の開閉を制御して行われる。
【００３１】
このように構成された本例のバラスト水処理装置による被処理水の無害化処理は、次のようにして行われる。
［制御手段８が有する第１制御機能による無害化処理］
まず、処理水弁１５、逆流防止弁１６、バラスト供給弁１７、船外排出弁１９を開き、フィルタバイパス弁１４、バラスト注水弁１８を閉じ、ポンプ２を起動する。ポンプ２の起動により、被処理水が被処理水汲み上げライン１０から汲み上げられてバラスト水処理ライン１に通水される。そして、バラスト水処理ライン１に通水を開始すると同時に、紫外線ランプに通電を開始する。バラスト水処理ライン１に通水された被処理水は、フィルタ３を通り紫外線照射ユニット４を通過する際に、紫外線が照射される。このときの紫外線照射ユニット４の紫外線ランプの照度は紫外線照射センサ５で検出され、紫外線ランプの照度が所定照度になるまで被処理水を船外排出手段７で船外排出ライン１２から船外に排出する。紫外線ランプの照度が所定照度になったことが紫外線照射センサ５で検出されたら、船外排出弁１９を閉じ、バラスト注水弁１８を開く。
【００３２】
これにより、汲み上げ開始直後の濁度が非常に高く、紫外線ランプの照射による無害化処理が不十分のままにある被処理水は船外に排出され、所定照度になった前記紫外線ランプにより紫外線照射され無害化処理された処理水がバラスト水としてバラストタンクへ送り込まれる。
【００３３】
［制御手段８が有する第２制御機能による無害化処理］
まず、フィルタバイパス弁１４、逆流防止弁１６、バラスト供給弁１７、船外排出弁１９を開き、処理水弁１５、バラスト注水弁１８を閉じ、ポンプ２を起動する。ポンプ２の起動により、被処理水が被処理水汲み上げライン１０から汲み上げられてバラスト水処理ライン１に通水される。そして、バラスト水処理ライン１に通水を開始すると同時に、紫外線ランプに通電を開始する。バラスト水処理ライン１に通水された被処理水は、フィルタ３を通り紫外線照射ユニット４を通過する際に、紫外線が照射される。このときの紫外線照射ユニット４の紫外線ランプの照度は紫外線照射センサ５で検出され、紫外線ランプの照度が所定照度になるまで被処理水を船外排出手段７で船外排出ライン１２から船外に排出する。
この後、紫外線ランプの照度が所定照度の直前の照度、即ち第一設定照度になったことが紫外線照射センサ５で検出されたら、フィルタバイパス弁１４を閉じ、処理水弁１５を開いて被処理水をフィルタ３へ通して、紫外線照射ユニット４を通過させて船外へ排出する。そして、紫外線ランプの照度が所定照度になったことが検出されたら、船外排出弁１９を閉じ、バラスト注水弁１８を開く。
【００３４】
これにより、汲み上げ開始直後の濁度が非常に高く、紫外線ランプの照射による無害化処理が不十分のままにある被処理水は船外に排出され、所定照度になった紫外線ランプにより紫外線照射されて確実に無害化処理された処理水のみがバラスト水としてバラストタンク６へ送り込まれる。また、被処理水の汲み上げ開始時には、被処理水をフィルタ３をバイパスさせるので、フィルタ３の詰まりが軽減される。
【００３５】
［制御手段８が有する第３制御機能による無害化処理］
まず、フィルタバイパス弁１４、逆流防止弁１６、バラスト供給弁１７、船外排出弁１９を開き、処理水弁１５、バラスト注水弁１８を閉じ、ポンプ２を起動する。ポンプ２の起動により、被処理水が被処理水汲み上げライン１０から汲み上げられてバラスト水処理ライン１に通水される。そして、バラスト水処理ライン１に通水を開始すると同時に、紫外線ランプに通電を開始する。バラスト水処理ライン１に通水された被処理水は、フィルタ３を通り紫外線照射ユニット４を通過する際に、紫外線が照射される。このときの紫外線照射ユニット４の紫外線ランプの照度は紫外線照射センサ５で検出され、紫外線ランプの照度が所定照度になるまで被処理水を船外排出手段７で船外排出ライン１２から船外に排出する。
この後、紫外線ランプの照度が所定照度になったことが検出されたら、フィルタバイパス弁１４を閉じ、処理水弁１５を開いて被処理水をフィルタ３へ通して、紫外線照射ユニット４を通過させて船外へ排出する。そして、この時点からさらに所定時間遅延経過するまで被処理水が船外排出手段７で船外に排出される。紫外線ランプの照度が所定照度になった時点から所定時間遅延経過したら、船外排出弁１９を閉じ、バラスト注水弁１８を開く。
【００３６】
これにより、紫外線照射ユニット４の下流側のバラスト水処理ライン１に存在する無害化処理が不十分のままにある被処理水は船外に排出され、所定照度になった紫外線ランプにより紫外線照射されて確実に無害化処理された処理水のみがバラスト水としてバラストタンク６へ送り込まれる。
【００３７】
つぎに、本発明に係るバラスト水処理装置の実施の形態の第２例を図２に示す概略構成図により説明する。
本例のバラスト水処理装置について、前記第１例と同一の構成については同一の符号を付してその説明を省略する。
本例のバラスト水処理装置は、第１例と同様に、バラスト水処理ライン１上に、被処理水を汲み上げて圧送するポンプ２と、フィルタ３と、汲み上げた被処理水に対して紫外線照射を行う紫外線照射ユニット４と、紫外線照射ユニット４の紫外線ランプ（図示せず）の照度を検出する紫外線照射センサ５と、紫外線を照射して処理した処理水を貯留するバラストタンク６と、船外排出手段７とを備え、バラスト水処理ライン１には、紫外線照射ユニット４をバイパスする未処理水排水バイパスライン２２を接続している。
【００３８】
さらに、本例のバラスト水処理装置は、被処理水の汲み上げ開始から所定時間、被処理水を未処理水排水バイパスライン２２を通過させ紫外線照射ユニット４をバイパスさせて船外排出手段７で船外に排出し、所定時間が経過したら未処理水排水バイパスライン２２を閉じて、被処理水を紫外線照射ユニット４へ通し、紫外線を照射して、紫外線照射センサ５で検出した紫外線ランプの照度が所定照度になるまで被処理水の船外排出を続け、紫外線ランプの照度が所定照度になったらバラストタンク６へ注水する第１制御機能を有する制御手段２３を備えている。
ここでいうところの被処理水の汲み上げ開始からの所定時間とは、汲み上げ開始直後の濁度の高い被処理水の濁度が低下し、所定の濁度に近づく時間として設定されている。また、所定の濁度とは、紫外線ランプで被処理水に紫外線を照射したときに所定照度が得られる濁度を指す。
【００３９】
また、本例は、第１例と同様に、バラスト水処理ライン１に、フィルタ３をバイパスするフィルタバイパスライン１３が接続されている。本例では、フィルタバイパスライン１３は前記した未処理水排水バイパスライン２２とフィルタ３の下流側を接続している。
詳細には、バラスト水処理ライン１に、未処理水排水バイパスライン２２がフィルタ３および紫外線照射ユニット４をバイパスするように接続している。そして、未処理水排水バイパスライン２２の途中からフィルタバイパスライン１３が分岐して設けられ、フィルタバイパスライン１３がフィルタ３と紫外線照射ユニット４との間のバラスト水処理ライン１に接続している。
フィルタバイパスライン１３が分岐した下流側にある未処理水排水バイパスライン２２には、未処理水排水弁２４が設けられている。また、紫外線照射ユニット４と紫外線照射ユニット４の下流側に接続された未処理水排水バイパスライン２２とに間にバラスト供給弁１７が設けられている。
【００４０】
また、本例では、制御手段２３は、被処理水の汲み上げ開始から所定時間、被処理水を未処理水排水バイパスライン２２を通過させフィルタ３および紫外線照射ユニット４をバイパスさせて船外排出手段７で船外に排出し、所定時間が経過したら未処理水排水バイパスライン２２を閉じ、フィルタバイパスライン１３を開けて被処理水を紫外線照射ユニット４へ通し、紫外線を照射して、紫外線照射センサ５で検出した紫外線ランプの照度が所定照度になるまで被処理水の船外排出を続け、そして、第１例と同様に、所定照度の直前の照度を第一設定照度として設定しておき、フィルタバイパスライン１３を開けて紫外線照射ユニット４へ通した被処理水に紫外線を照射して、紫外線ランプの照度が所定照度の直前の照度、即ち第一設定照度に達した時点でフィルタバイパスライン１３を閉じて被処理水をフィルタ３へ通し、バラストタンク６へ注水する制御を行う第２制御機能を有している。
【００４１】
さらに、制御手段２３は、被処理水の汲み上げ開始から所定時間、被処理水を未処理水排水バイパスライン２２を通過させフィルタ３および紫外線照射ユニット４をバイパスさせて船外排出手段７で船外に排出し、所定時間が経過したら未処理水排水バイパスライン２２を閉じ、フィルタバイパスライン１３を開けて被処理水を紫外線照射ユニット４へ通し、紫外線ランプの照度が所定照度に達した時点でフィルタバイパスライン１３を閉じて被処理水をフィルタ３へ通し、さらに被処理水の船外排出を続け、紫外線ランプの照度が所定照度になった時点から所定時間遅延させてバラストタンク６へ注水する制御を行う第３制御機能を有している。
【００４２】
制御手段２３によるこれらの制御は、フィルタバイパス弁１４、処理水弁１５、逆流防止弁１６、バラスト供給弁１７、バラスト注水弁１８、船外排出弁１９、未処理水排水弁２４の開閉を制御して行われる。
その他の構成は前記第１例と同様なので、第１例の説明を援用し、その説明を省略する。
【００４３】
このように構成された本例のバラスト水処理装置による被処理水の無害化処理は、次のようにして行われる。
［制御手段２３が有する第１制御機能による無害化処理］
まず、未処理水排水弁２４、船外排出弁１９を開き、フィルタバイパス弁１４、処理水弁１５、逆流防止弁１６、バラスト供給弁１７、バラスト注水弁１８を閉じ、ポンプ２を起動する。ポンプ２の起動により、被処理水が被処理水汲み上げライン１０から汲み上げられてバラスト水処理ライン１に通水される。バラスト水処理ライン１に通水された被処理水は、未処理水排水バイパスライン２２を通りフィルタ３、紫外線照射ユニット４をバイパスし、被処理水の汲み上げ開始から所定時間、被処理水を船外排出手段７で船外排出ライン１２から船外に排出される。
被処理水の汲み上げ開始から所定時間が経過したら未処理水排水弁２４を閉じ、処理水弁１５、逆流防止弁１６、バラスト供給弁１７を開き、被処理水を紫外線照射ユニット４へ通し、紫外線ランプに通電して紫外線を照射して、紫外線照射センサ５で検出した紫外線ランプの照度が所定照度になるまで被処理水の船外排出を続ける。紫外線ランプの照度が所定照度になったことが紫外線照射センサ５で検出されたら、船外排出弁１９を閉じ、バラスト注水弁１８を開く。
【００４４】
これにより、被処理水の汲み上げ開始から所定時間、被処理水を、紫外線照射ユニット４をバイパスさせて船外に排出し、所定時間が経過したら被処理水を紫外線照射ユニット４へ通し紫外線を照射するので、被処理水の汲み上げ開始直後の濁度の高い被処理水はそのまま船外に排出され、所定時間経過後の濁度が低下した被処理水に紫外線を照射することになり、前記紫外線ランプの消耗が軽減される。
そして、紫外線を照射して、紫外線照射センサ５で検出した紫外線ランプの照度が所定照度になるまで被処理水の船外排出を続け、紫外線ランプの照度が所定照度になったらバラストタンク６へ注水するので、所定照度になった紫外線ランプにより紫外線照射され無害化処理された処理水がバラスト水としてバラストタンク６へ送り込まれる。
【００４５】
［制御手段２３が有する第２制御機能による無害化処理］
まず、未処理水排水弁２４、船外排出弁１９を開き、フィルタバイパス弁１４、処理水弁１５、逆流防止弁１６、バラスト供給弁１７、バラスト注水弁１８を閉じ、ポンプ２を起動する。ポンプ２の起動により、被処理水が被処理水汲み上げライン１０から汲み上げられてバラスト水処理ライン１に通水される。バラスト水処理ライン１に通水された被処理水は、未処理水排水バイパスライン２２を通りフィルタ３、紫外線照射ユニット４をバイパスし、被処理水の汲み上げ開始から所定時間、被処理水を船外排出手段７で船外排出ライン１２から船外に排出される。
被処理水の汲み上げ開始から所定時間が経過したら未処理水排水弁２４を閉じ、フィルタバイパス弁１４、逆流防止弁１６、バラスト供給弁１７を開き、被処理水を紫外線照射ユニット４へ通し、紫外線ランプに通電して紫外線を照射して、紫外線照射センサ５で検出した紫外線ランプの照度が所定照度になるまで被処理水の船外排出を続ける。
この後、紫外線ランプの照度が所定照度の直前の照度、即ち第一設定照度になったことが紫外線照射センサ５で検出されたら、フィルタバイパス弁１４を閉じ、処理水弁１５を開いて被処理水をフィルタ３へ通して、紫外線照射ユニット４を通過させて船外へ排出する。そして、紫外線ランプの照度が所定照度になったことが検出されたら、船外排出弁１９を閉じ、バラスト注水弁１８を開く。
【００４６】
これにより、前記した第１制御機能による無害化処理の作用に加え、被処理水の汲み上げ開始時には、被処理水をフィルタ３をバイパスさせ、紫外線ランプの照度が所定照度の直前の照度になったことが紫外線照射センサ５で検出されたら、処理水弁１５を開いて被処理水をフィルタ３へ通すので、フィルタ３の詰まりが軽減されることになる。
【００４７】
［制御手段２３が有する第３制御機能による無害化処理］
まず、未処理水排水弁２４、船外排出弁１９を開き、フィルタバイパス弁１４、処理水弁１５、逆流防止弁１６、バラスト供給弁１７、バラスト注水弁１８を閉じ、ポンプ２を起動する。ポンプ２の起動により、被処理水が被処理水汲み上げライン１０から汲み上げられてバラスト水処理ライン１に通水される。バラスト水処理ライン１に通水された被処理水は、未処理水排水バイパスライン２２を通りフィルタ３、紫外線照射ユニット４をバイパスし、被処理水の汲み上げ開始から所定時間、被処理水を船外排出手段７で船外排出ライン１２から船外に排出される。
被処理水の汲み上げ開始から所定時間が経過したら未処理水排水弁２４を閉じ、フィルタバイパス弁１４、逆流防止弁１６、バラスト供給弁１７を開き、被処理水を紫外線照射ユニット４へ通し、紫外線ランプに通電して紫外線を照射して、紫外線照射センサ５で検出した紫外線ランプの照度が所定照度になるまで被処理水の船外排出を続ける。
この後、紫外線ランプの照度が所定照度になったことが検出されたら、フィルタバイパス弁１４を閉じ、処理水弁１５を開いて被処理水をフィルタ３へ通して、紫外線照射ユニット４を通過させて船外へ排出する。そして、この時点からさらに所定時間遅延経過するまで被処理水が船外排出手段７で船外に排出される。紫外線ランプの照度が所定照度になった時点から所定時間遅延経過したら、船外排出弁１９を閉じ、バラスト注水弁１８を開く。
【００４８】
これにより、前記した第１制御機能による無害化処理の作用に加え、紫外線を照射して、紫外線照射センサ５で検出した紫外線ランプの照度が所定照度になるまで被処理水の船外排出を続け、紫外線ランプの照度が所定照度になった時点から所定時間遅延経過したらバラストタンク６へ注水するので、紫外線照射ユニット４の下流側のバラスト水処理ライン１に存在する無害化処理が不十分のままにある被処理水は船外に排出され、所定照度になった紫外線ランプにより紫外線照射されて確実に無害化処理された処理水のみがバラスト水としてバラストタンク６へ送り込まれる。また、被処理水の汲み上げ開始時には、被処理水をフィルタ３をバイパスさせ、紫外線ランプの照度が所定照度の直前の照度になったことが紫外線照射センサ５で検出されたら、処理水弁１５を開いて被処理水をフィルタ３へ通すので、フィルタ３の詰まりが軽減されることになる。
【００４９】
つぎに、本発明に係るバラスト水処理装置の実施の形態の第３例を図３に示す概略構成図により説明する。
本例のバラスト水処理装置について、前記第２例と同一の構成については同一の符号を付してその説明を省略する。
【００５０】
本例のバラスト水処理装置は、第２例と同様に、バラスト水処理ライン１上に、被処理水を汲み上げて圧送するポンプ２と、フィルタ３と、汲み上げた被処理水に対して紫外線照射を行う紫外線照射ユニット４と、紫外線照射ユニット４の紫外線ランプ（図示せず）の照度を検出する紫外線照射センサ５と、紫外線を照射して処理した処理水を貯留するバラストタンク６と、船外排出手段７とを備え、バラスト水処理ライン１には、紫外線照射ユニット４をバイパスする未処理水排水バイパスライン２２を接続し、また未処理水を排出するラインに濁度測定手段を備えている。濁度測定手段２５としては、未処理水排水バイパスライン２２を通る被処理水の濁度を計測する濁度センサが用いられている。
なお、本例では、濁度測定手段２５は未処理水排水バイパスライン２２に備えているが、ポンプ２と未処理水排水バイパスライン２２の上流側の接続部との間のバラスト水処理ライン１に、または未処理水排水バイパスライン２２の下流側の接続部の下流側のバラスト水処理ライン１に、または船外排出ライン１２に備えてもよい。
【００５１】
さらに、本例のバラスト水処理装置は、被処理水の汲み上げ開始時には、被処理水を未処理水排水バイパスライン２２を通過させフィルタ３および紫外線照射ユニット４をバイパスさせて船外排出手段７で船外に排出し、濁度測定手段２５で未処理水排水バイパスライン２２を通過する被処理水の濁度が所定の濁度以下になったことを検出したら、未処理水排水バイパスライン２２を閉じて、被処理水を紫外線照射ユニット４へ通し、紫外線を照射して、紫外線照射センサ５で検出した紫外線ランプの照度が所定照度になるまで被処理水の船外排出を続け、紫外線ランプの照度が所定照度になったらバラストタンク６へ注水する制御を行う第１制御機能を有する制御手段２６を備えている。ここでいうところの所定の濁度とは、紫外線ランプで被処理水に紫外線を照射したときに所定照度が得られる濃度を指す。
【００５２】
また、本例は、第２例と同様に、バラスト水処理ライン１に、フィルタ３をバイパスするフィルタバイパスライン１３が接続されている。
【００５３】
また、本例では、制御手段２６は、被処理水の汲み上げ開始時には、被処理水を未処理水排水バイパスライン２２を通過させフィルタ３および紫外線照射ユニット４をバイパスさせて船外排出手段７で船外に排出し、濁度測定手段２５で未処理水排水バイパスライン２２を通過する被処理水の濁度が所定の濁度以下になったことを検出したら、未処理水排水バイパスライン２２を閉じ、フィルタバイパスライン１３を開けて被処理水を紫外線照射ユニット４へ通し、紫外線を照射して、紫外線照射センサ５で検出した紫外線ランプの照度が所定照度になるまで被処理水の船外排出を続け、そして、第１例と同様に、所定照度の直前の照度を第一設定照度として設定しておき、フィルタバイパスライン１３を開けて紫外線照射ユニット４へ通した被処理水に紫外線を照射して、紫外線ランプの照度が所定照度の直前の照度、即ち第一設定照度に達した時点でフィルタバイパスライン１３を閉じて被処理水をフィルタ３へ通し、バラストタンク６へ注水する制御を行う第２制御機能を有している。
【００５４】
さらに、制御手段２６は、被処理水の汲み上げ開始時には、被処理水を未処理水排水バイパスライン２２を通過させフィルタ３および紫外線照射ユニット４をバイパスさせて船外排出手段７で船外に排出し、濁度測定手段２５で未処理水排水バイパスライン２２を通過する被処理水の濁度が所定の濁度以下になったことを検出したら、未処理水排水バイパスライン２２を閉じ、フィルタバイパスライン１３を開けて被処理水を紫外線照射ユニット４へ通し、紫外線を照射して、紫外線照射センサ５で検出した紫外線ランプの照度が所定照度に達した時点でフィルタバイパスライン１３を閉じて被処理水をフィルタ３へ通し、さらに被処理水の船外排出を続け、紫外線ランプの照度が所定照度になった時点から所定時間遅延させてバラストタンク６へ注水する制御を行う第３制御機能を有している。
【００５５】
制御手段２６によるこれらの制御は、第２例と同様に、フィルタバイパス弁１４、処理水弁１５、逆流防止弁１６、バラスト供給弁１７、バラスト注水弁１８、船外排出弁１９、未処理水排水弁２４、バラストタンク排水弁２１の開閉を制御して行われる。
その他の構成は前記第２例と同様なので、第２例の説明を援用し、その説明を省略する。
【００５６】
このように構成された本例のバラスト水処理装置による被処理水の無害化処理は、次のようにして行われる。
［制御手段２６が有する第１制御機能による無害化処理］
まず、未処理水排水弁２４、船外排出弁１９を開き、フィルタバイパス弁１４、処理水弁１５、逆流防止弁１６、バラスト供給弁１７、バラスト注水弁１８を閉じ、ポンプ２を起動する。ポンプ２の起動により、被処理水が被処理水汲み上げライン１０から汲み上げられてバラスト水処理ライン１に通水される。バラスト水処理ライン１に通水された被処理水は、未処理水排水バイパスライン２２を通りフィルタ３、紫外線照射ユニット４をバイパスして、船外排出手段７で船外排出ライン１２から船外に排出される。
濁度測定手段２５で未処理水排水バイパスライン２２を通過する被処理水の濁度が所定の濁度以下になったことを検出したら、未処理水排水弁２４を閉じ、処理水弁１５、逆流防止弁１６、バラスト供給弁１７を開き、被処理水を紫外線照射ユニット４へ通し、紫外線ランプに通電し紫外線を照射して、紫外線照射センサ５で検出した紫外線ランプの照度が所定照度になるまで被処理水の船外排出が続けられる。
この後、紫外線ランプの照度が所定照度になったことが紫外線照射センサ５で検出されたら、船外排出弁１９を閉じ、バラスト注水弁１８を開く。
【００５７】
これにより、被処理水の汲み上げ開始時には、被処理水を、紫外線照射ユニット４をバイパスさせて船外に排出し、濁度測定手段２５で被処理水の濁度が所定の濁度以下になったことを検出したら、被処理水を紫外線照射ユニット４へ通し紫外線を照射するので、濁度の高い被処理水はそのまま船外に排出され、所定の濁度以下になった被処理水に紫外線を照射することになり、前記紫外線ランプの消耗が軽減される。
そして、紫外線を照射して、紫外線照射センサ５で検出した紫外線ランプの照度が所定照度になるまで被処理水の船外排出を続け、紫外線ランプの照度が所定照度になったらバラストタンク６へ注水するので、所定照度になった紫外線ランプにより紫外線照射され無害化処理された処理水がバラスト水としてバラストタンクへ送り込まれる。
【００５８】
［制御手段２６が有する第２制御機能による無害化処理］
まず、未処理水排水弁２４、船外排出弁１９を開き、フィルタバイパス弁１４、処理水弁１５、逆流防止弁１６、バラスト供給弁１７、バラスト注水弁１８を閉じ、ポンプ２を起動する。ポンプ２の起動により、被処理水が被処理水汲み上げライン１０から汲み上げられてバラスト水処理ライン１に通水される。バラスト水処理ライン１に通水された被処理水は、未処理水排水バイパスライン２２を通りフィルタ３、紫外線照射ユニット４をバイパスして、船外排出手段７で船外排出ライン１２から船外に排出される。
濁度測定手段２５で未処理水排水バイパスライン２２を通過する被処理水の濁度が所定の濁度以下になったことを検出したら、未処理水排水バイパスライン２２を閉じ、フィルタバイパス弁１４、逆流防止弁１６、バラスト供給弁１７を開き、被処理水を紫外線照射ユニット４へ通し、紫外線ランプに通電し紫外線を照射して、紫外線照射センサ５で検出した紫外線ランプの照度が所定照度になるまで被処理水の船外排出が続けられる。
この後、紫外線ランプの照度が所定照度の直前の照度、即ち第一設定照度になったことが紫外線照射センサ５で検出されたら、フィルタバイパス弁１４を閉じ、処理水弁１５を開いて被処理水をフィルタ３へ通して、紫外線照射ユニット４を通過させて船外へ排出する。そして、紫外線ランプの照度が所定照度になったことが検出されたら、船外排出弁１９を閉じ、バラスト注水弁１８を開く。
【００５９】
これにより、前記した第１制御機能による無害化処理の作用に加え、被処理水の汲み上げ開始時には、被処理水をフィルタ３をバイパスさせ、紫外線ランプの照度が所定照度の直前の照度になったことが紫外線照射センサ５で検出されたら、処理水弁１５を開いて被処理水をフィルタ３へ通すので、フィルタ３の詰まりが軽減されることになる。
【００６０】
［制御手段２６が有する第３制御機能による無害化処理］
まず、未処理水排水弁２４、船外排出弁１９を開き、フィルタバイパス弁１４、処理水弁１５、逆流防止弁１６、バラスト供給弁１７、バラスト注水弁１８を閉じ、ポンプ２を起動する。ポンプ２の起動により、被処理水が被処理水汲み上げライン１０から汲み上げられてバラスト水処理ライン１に通水される。バラスト水処理ライン１に通水された被処理水は、未処理水排水バイパスライン２２を通りフィルタ３、紫外線照射ユニット４をバイパスして、船外排出手段７で船外排出ライン１２から船外に排出される。
濁度測定手段２５で未処理水排水バイパスライン２２を通過する被処理水の濁度が所定の濁度以下になったことを検出したら、未処理水排水バイパスライン２２を閉じ、フィルタバイパス弁１４、逆流防止弁１６、バラスト供給弁１７を開き、被処理水を紫外線照射ユニット４へ通し、紫外線ランプに通電し紫外線を照射して、紫外線照射センサ５で検出した紫外線ランプの照度が所定照度になるまで被処理水の船外排出が続けられる。
この後、紫外線ランプの照度が所定照度になったことが検出されたら、フィルタバイパス弁１４を閉じ、処理水弁１５を開いて被処理水をフィルタ３へ通して、紫外線照射ユニット４を通過させて船外へ排出する。そして、この時点からさらに所定時間遅延経過するまで被処理水が船外排出手段７で船外に排出される。紫外線ランプの照度が所定照度になった時点から所定時間遅延経過したら、船外排出弁１９を閉じ、バラスト注水弁１８を開く。
【００６１】
これにより、前記した第１制御機能による無害化処理の作用に加え、紫外線を照射して、紫外線照射センサ５で検出した紫外線ランプの照度が所定照度になるまで被処理水の船外排出を続け、紫外線ランプの照度が所定照度になった時点から所定時間遅延経過したらバラストタンク６へ注水するので、紫外線照射ユニット４の下流側のバラスト水処理ライン１に存在する無害化処理が不十分のままにある被処理水は船外に排出され、所定照度になった紫外線ランプにより紫外線照射されて確実に無害化処理された処理水のみがバラスト水としてバラストタンク６へ送り込まれる。また、被処理水の汲み上げ開始時には、被処理水をフィルタ３をバイパスさせ、紫外線ランプの照度が所定照度の直前の照度になったことが紫外線照射センサ５で検出されたら、処理水弁１５を開いて被処理水をフィルタ３へ通すので、フィルタ３の詰まりが軽減されることになる。
【００６２】
つぎに、本発明に係るバラスト水処理装置の実施の形態の第４例を説明する。
本例のバラスト水処理装置は、制御手段以外は第３例と同じ構成なので、第３例と同様に、図２に示す概略構成図により説明し、第３例と同じ構成で、第３例で説明した構成については第３例の説明を援用し、その説明を省略する。
【００６３】
本例のバラスト水処理装置は、第３例と同様に、バラスト水処理ライン１上に、被処理水を汲み上げて圧送するポンプ２と、フィルタ３と、汲み上げた被処理水に対して紫外線照射を行う紫外線照射ユニット４と、紫外線照射ユニット４の紫外線ランプ（図示せず）の照度を検出する紫外線照射センサ５と、紫外線を照射して処理した処理水を貯留するバラストタンク６と、船外排出手段７とを備え、バラスト水処理ライン１には、紫外線照射ユニット４をバイパスする未処理水排水バイパスライン２２を接続し、また未処理水を排出するラインに濁度測定手段を備えている。濁度測定手段２５としては、未処理水排水バイパスライン２２を通る被処理水の濁度を計測する濁度センサが用いられている。
なお、本例では、濁度測定手段２５は未処理水排水バイパスライン２２に備えているが、ポンプ２と未処理水排水バイパスライン２２の上流側の接続部との間のバラスト水処理ライン１に、または未処理水排水バイパスライン２２の下流側の接続部の下流側のバラスト水処理ライン１に、または船外排出ライン１２に備えてもよい。
【００６４】
さらに、本例のバラスト水処理装置は、濁度測定手段２５で検出した濁度の時間変化を記憶する濁度変化記憶手段と濁度の時間変化を判定する判定手段を有する制御手段２７を備え、制御手段２７は、被処理水の汲み上げ開始時には、被処理水を未処理水排水バイパスライン２２を通過させフィルタ３および紫外線照射ユニット４をバイパスさせて船外排出手段７で船外に排出し、濁度測定手段２５で検出した未処理水排水バイパスライン２２を通過する被処理水の濁度の時間変化が所定範囲以下となったことを判定したら、紫外線照射ユニット４の紫外線出力を検出された濁度に応じた紫外線出力に調整し、未処理水排水バイパスライン２２を閉じて、被処理水を紫外線照射ユニット４へ通し、紫外線を照射して、前外線照射センサ５で検出した紫外線ランプの照度が所定照度になるまで被処理水の船外排出を続け、紫外線ランプの照度が所定照度になったらバラストタンクへ注水する制御を行う第１制御機能を有する制御手段２７を備えている。
ここでいうところの濁度の時間変化が所定範囲とは、濁度が所定の濁度に短時間で到達することを予想できる時間変化を指す。また、所定の濁度とは、紫外線ランプで被処理水に紫外線を照射したときに所定照度が得られる濁度を指す。
【００６５】
また、本例では、制御手段２７は、被処理水の汲み上げ開始時には、被処理水を未処理水排水バイパスライン２２を通過させフィルタ３および紫外線照射ユニット４をバイパスさせて船外排出手段７で船外に排出し、濁度測定手段２５で検出した未処理水排水バイパスライン２２を通過する被処理水の濁度の時間変化が所定範囲以下となったことを判定したら、紫外線照射ユニット４の紫外線出力を検出された濁度に応じた紫外線出力に調整し、未処理水排水バイパスライン２２を閉じ、フィルタバイパスライン１３を開けて被処理水を紫外線照射ユニット４へ通し、紫外線を照射して、紫外線照射センサ５で検出した紫外線ランプの照度が所定照度になるまで被処理水の船外排出を続け、そして、第１例と同様に、所定照度の直前の照度を第一設定照度として設定しておき、フィルタバイパスライン１３を開けて紫外線照射ユニット４へ通した被処理水に紫外線を照射して、紫外線ランプの照度が所定照度の直前の照度、即ち第一設定照度に達した時点でフィルタバイパスライン１３を閉じて被処理水をフィルタ３へ通し、バラストタンク６へ注水する制御を行う第２制御機能を有している。
【００６６】
さらに、制御手段２７は、被処理水の汲み上げ開始時には、被処理水を未処理水排水バイパスライン２２を通過させフィルタ３および紫外線照射ユニット４をバイパスさせて船外排出手段７で船外に排出し、濁度測定手段２５で検出した未処理水排水バイパスライン２２を通過する被処理水の濁度の時間変化が所定範囲以下となったことを判定したら、紫外線照射ユニット４の紫外線出力を検出された濁度に応じた紫外線出力に調整し、未処理水排水バイパスライン２２を閉じ、フィルタバイパスライン１３を開けて被処理水を紫外線照射ユニット４へ通し、紫外線を照射して、紫外線照射センサ５で検出した紫外線ランプの照度が所定照度に達した時点でフィルタバイパスライン１３を閉じて被処理水をフィルタ３へ通し、さらに被処理水の船外排出を続け、紫外線ランプの照度が所定照度になった時点から所定時間遅延させてバラストタンク６へ注水する制御を行う第３制御機能を有している。
【００６７】
制御手段２７によるこれらの制御は、第３例と同様に、フィルタバイパス弁１４、処理水弁１５、逆流防止弁１６、バラスト供給弁１７、バラスト注水弁１８、船外排出弁１９、未処理水排水弁２４の開閉を制御して行われる。
その他の構成は前記第３例と同様なので、第３例の説明を援用し、その説明を省略する。
【００６８】
このように構成された本例のバラスト水処理装置による被処理水の無害化処理は、次のようにして行われる。
［制御手段２７が有する第１制御機能による無害化処理］
まず、未処理水排水弁２４、船外排出弁１９を開き、フィルタバイパス弁１４、処理水弁１５、逆流防止弁１６、バラスト供給弁１７、バラスト注水弁１８を閉じ、ポンプ２を起動する。ポンプ２の起動により、被処理水が被処理水汲み上げライン１０から汲み上げられてバラスト水処理ライン１に通水される。バラスト水処理ライン１に通水された被処理水は、未処理水排水バイパスライン２２を通りフィルタ３、紫外線照射ユニット４をバイパスして、船外排出手段７で船外排出ライン１２から船外に排出される。
濁度測定手段２５で検出した未処理水排水バイパスライン２２を通過する被処理水の濁度の時間変化が所定範囲以下となったことを判定したら、未処理水排水弁２４を閉じ、処理水弁１５、逆流防止弁１６、バラスト供給弁１７を開き、被処理水を紫外線照射ユニット４へ通し、同時に、紫外線ランプに通電し、紫外線照射ユニット４の紫外線出力を検出された濁度に応じた紫外線出力に調整して被処理水に紫外線を照射し、紫外線照射センサ５で検出した紫外線ランプの照度が所定照度になるまで被処理水の船外排出を続ける。
紫外線ランプの照度が所定照度になったことが紫外線照射センサ５で検出されたら、船外排出弁１９を閉じ、バラスト注水弁１８を開く。
【００６９】
これにより、被処理水の汲み上げ開始時には、被処理水を、紫外線照射ユニット４をバイパスさせて船外に排出し、濁度測定手段２５で検出した被処理水の濁度の時間変化が所定範囲以下となったことを判定したら、紫外線照射ユニット４の紫外線出力を検出された濁度に応じた紫外線出力に調整し、被処理水を紫外線照射ユニット４へ通し紫外線を照射するので、濁度の高い被処理水はそのまま船外に排出され、被処理水の濁度の時間変化が所定範囲以下となったことを判定したら、紫外線照射ユニット４の紫外線出力を検出された濁度に応じた紫外線出力に調整して被処理水に紫外線を照射することになり、紫外線照射ユニット４の消費電力の低減が図れるとともに前記紫外線ランプの消耗が軽減される。
そして、紫外線を照射して、紫外線照射センサ５で検出した紫外線ランプの照度が所定照度になるまで被処理水の船外排出を続け、紫外線ランプの照度が所定照度になったらバラストタンク６へ注水するので、所定照度になった紫外線ランプにより紫外線照射され無害化処理された処理水がバラスト水としてバラストタンクへ送り込まれる。
【００７０】
［制御手段２７が有する第２制御機能による無害化処理］
まず、未処理水排水弁２４、船外排出弁１９を開き、フィルタバイパス弁１４、処理水弁１５、逆流防止弁１６、バラスト供給弁１７、バラスト注水弁１８を閉じ、ポンプ２を起動する。ポンプ２の起動により、被処理水が被処理水汲み上げライン１０から汲み上げられてバラスト水処理ライン１に通水される。バラスト水処理ライン１に通水された被処理水は、未処理水排水バイパスライン２２を通りフィルタ３、紫外線照射ユニット４をバイパスして、船外排出手段７で船外排出ライン１２から船外に排出される。
濁度測定手段２５で検出した未処理水排水バイパスライン２２を通過する被処理水の濁度の時間変化が所定範囲以下となったことを判定したら、未処理水排水バイパスライン２２を閉じ、フィルタバイパス弁１４、逆流防止弁１６、バラスト供給弁１７を開き、被処理水を紫外線照射ユニット４へ通し、同時に、紫外線ランプに通電し、紫外線照射ユニット４の紫外線出力を検出された濁度に応じた紫外線出力に調整して被処理水に紫外線を照射し、紫外線照射センサ５で検出した紫外線ランプの照度が所定照度になるまで被処理水の船外排出を続ける。
この後、紫外線ランプの照度が所定照度の直前の照度、即ち第一設定照度になったことが紫外線照射センサ５で検出されたら、フィルタバイパス弁１４を閉じ、処理水弁１５を開いて被処理水をフィルタ３へ通して、紫外線照射ユニット４を通過させて船外へ排出する。そして、紫外線ランプの照度が所定照度になったことが検出されたら、船外排出弁１９を閉じ、バラスト注水弁１８を開く。
【００７１】
これにより、前記した第１制御機能による無害化処理の作用に加え、被処理水の汲み上げ開始時には、被処理水をフィルタ３をバイパスさせ、紫外線ランプの照度が所定照度の直前の照度になったことが紫外線照射センサ５で検出されたら、処理水弁１５を開いて被処理水をフィルタ３へ通すので、フィルタ３の詰まりが軽減されることになる。
【００７２】
［制御手段２７が有する第３制御機能による無害化処理］
まず、未処理水排水弁２４、船外排出弁１９を開き、フィルタバイパス弁１４、処理水弁１５、逆流防止弁１６、バラスト供給弁１７、バラスト注水弁１８を閉じ、ポンプ２を起動する。ポンプ２の起動により、被処理水が被処理水汲み上げライン１０から汲み上げられてバラスト水処理ライン１に通水される。バラスト水処理ライン１に通水された被処理水は、未処理水排水バイパスライン２２を通りフィルタ３、紫外線照射ユニット４をバイパスして、船外排出手段７で船外排出ライン１２から船外に排出される。
濁度測定手段２５で検出した未処理水排水バイパスライン２２を通過する被処理水の濁度の時間変化が所定範囲以下となったことを判定したら、未処理水排水バイパスライン２２を閉じ、フィルタバイパス弁１４、逆流防止弁１６、バラスト供給弁１７を開き、被処理水を紫外線照射ユニット４へ通し、同時に、紫外線ランプに通電し、紫外線照射ユニット４の紫外線出力を検出された濁度に応じた紫外線出力に調整して被処理水に紫外線を照射し、紫外線照射センサ５で検出した紫外線ランプの照度が所定照度になるまで被処理水の船外排出を続ける。
この後、紫外線ランプの照度が所定照度になったことが検出されたら、フィルタバイパス弁１４を閉じ、処理水弁１５を開いて被処理水をフィルタ３へ通して、紫外線照射ユニット４を通過させて船外へ排出する。そして、この時点からさらに所定時間遅延経過するまで被処理水が船外排出手段７で船外に排出される。紫外線ランプの照度が所定照度になった時点から所定時間遅延経過したら、船外排出弁１９を閉じ、バラスト注水弁１８を開く。
【００７３】
これにより、前記した第１制御機能による無害化処理の作用に加え、紫外線を照射して、紫外線照射センサ５で検出した紫外線ランプの照度が所定照度になるまで被処理水の船外排出を続け、紫外線ランプの照度が所定照度になった時点から所定時間遅延経過したらバラストタンク６へ注水するので、紫外線照射ユニット４の下流側のバラスト水処理ライン１に存在する無害化処理が不十分のままにある被処理水は船外に排出され、所定照度になった紫外線ランプにより紫外線照射されて確実に無害化処理された処理水のみがバラスト水としてバラストタンク６へ送り込まれる。また、被処理水の汲み上げ開始時には、被処理水をフィルタ３をバイパスさせ、紫外線ランプの照度が所定照度の直前の照度になったことが紫外線照射センサ５で検出されたら、処理水弁１５を開いて被処理水をフィルタ３へ通すので、フィルタ３の詰まりが軽減されることになる。
【００７４】
つぎに、本発明に係るバラスト水処理装置の実施の形態の第５例を図４に示す概略構成図により説明する。
本例のバラスト水処理装置について、前記第２例と同一の構成については同一の符号を付してその説明を省略する。
【００７５】
本例のバラスト水処理装置は、第２例と同様に、バラスト水処理ライン１上に、被処理水を汲み上げて圧送するポンプ２と、フィルタ３と、汲み上げた被処理水に対して紫外線照射を行う紫外線照射ユニット４と、紫外線照射ユニット４の紫外線ランプ（図示せず）の照度を検出する紫外線照射センサ５と、紫外線を照射して処理した処理水を貯留するバラストタンク６と、船外排出手段７とを備え、バラスト水処理ライン１には、紫外線照射ユニット４をバイパスする未処理水排水バイパスライン２２を接続している。さらに、本例では、バラスト水処理ライン１上に汲み上げた被処理水の流量を計測する流量計２８を備えている。
【００７６】
さらに、本例のバラスト水処理装置は、被処理水の汲み上げ開始時には、被処理水を未処理水排水バイパスライン２２を通過させフィルタ３および紫外線照射ユニット２２をバイパスさせて船外排出手段７で船外に排出し、流量計２８でバラスト水処理ライン１を通過する被処理水の流量が所定の流量になったことを検出したら、未処理水排水バイパスライン２２を閉じて、被処理水を紫外線照射ユニット４へ通し、紫外線を照射して、紫外線照射センサ５で検出した紫外線ランプの照度が所定照度になるまで被処理水の船外排出を続け、紫外線ランプの照度が所定照度になったらバラストタンク６へ注水する制御を行う第１制御機能を有する制御手段２９を備えている。
ここでいうところの被処理水の流量における所定の流量とは、汲み上げ開始直後の濁度の高い被処理水の濁度が低下し、所定の濁度に近づく流量として設定されている。
【００７７】
また、本例では、制御手段２９は、被処理水の汲み上げ開始時には、被処理水を未処理水排水バイパスライン２２を通過させ紫外線照射ユニット２２をバイパスさせて船外排出手段７で船外に排出し、流量計２８でバラスト水処理ライン１を通過する被処理水の流量が所定の流量になったことを検出したら、未処理水排水バイパスライン２２を閉じて、被処理水を紫外線照射ユニット４へ通し、紫外線を照射して、紫外線照射センサ５で検出した紫外線ランプの照度が所定照度になるまで被処理水の船外排出を続け、そして、第１例と同様に、所定照度の直前の照度を第一設定照度として設定しておき、フィルタバイパスライン１３を開けて紫外線照射ユニット４へ通した被処理水に紫外線を照射して、紫外線ランプの照度が所定照度の直前の照度、即ち第一設定照度に達した時点でフィルタバイパスライン１３を閉じて被処理水をフィルタ３へ通し、バラストタンク６へ注水する制御を行う第２制御機能を有している。
【００７８】
さらに、制御手段２９は、被処理水の汲み上げ開始時には、被処理水を未処理水排水バイパスライン２２を通過させフィルタ３および紫外線照射ユニット２２をバイパスさせて船外排出手段７で船外に排出し、流量計２８でバラスト水処理ライン１を通過する被処理水の流量が所定の流量になったことを検出したら、未処理水排水バイパスライン２２を閉じて、被処理水を紫外線照射ユニット４へ通し、紫外線を照射して、紫外線照射センサ５で検出した紫外線ランプの照度が所定照度に達した時点でフィルタバイパスライン１３を閉じて被処理水をフィルタ３へ通し、さらに被処理水の船外排出を続け、紫外線ランプの照度が所定照度になった時点から所定時間遅延させてバラストタンク６へ注水する制御を行う第３制御機能を有している。
【００７９】
制御手段２９によるこれらの制御は、第２例と同様に、フィルタバイパス弁１４、処理水弁１５、逆流防止弁１６、バラスト供給弁１７、バラスト注水弁１８、船外排出弁１９、未処理水排水弁２４の開閉を制御して行われる。
その他の構成は前記第２例と同様なので、第２例の説明を援用し、その説明を省略する。
【００８０】
このように構成された本例のバラスト水処理装置による被処理水の無害化処理は、次のようにして行われる。
［制御手段２９が有する第１制御機能による無害化処理］
まず、未処理水排水弁２４、船外排出弁１９を開き、フィルタバイパス弁１４、処理水弁１５、逆流防止弁１６、バラスト供給弁１７、バラスト注水弁１８を閉じ、ポンプ２を起動する。ポンプ２の起動により、被処理水が被処理水汲み上げライン１０から汲み上げられてバラスト水処理ライン１に通水される。バラスト水処理ライン１に通水された被処理水は、未処理水排水バイパスライン２２を通りフィルタ３、紫外線照射ユニット４をバイパスして、船外排出手段７で船外排出ライン１２から船外に排出される。
流量計２８でバラスト水処理ライン１を通過する被処理水の流量が所定の流量になったことを検出したら、未処理水排水弁２４を閉じ、処理水弁１５、逆流防止弁１６、バラスト供給弁１７を開き、被処理水を紫外線照射ユニット４へ通し、紫外線ランプに通電し紫外線を照射して、紫外線照射センサ５で検出した紫外線ランプの照度が所定照度になるまで被処理水の船外排出が続けられる。
この後、紫外線ランプの照度が所定照度になったことが紫外線照射センサ５で検出されたら、船外排出弁１９を閉じ、バラスト注水弁１８を開く。
【００８１】
これにより、被処理水の汲み上げ開始時には、被処理水を、前記紫外線照射ユニット４をバイパスさせて船外に排出し、流量計２８でバラスト水処理ライン１を通過する被処理水の流量が所定の流量になったことを検出したら、被処理水を紫外線照射ユニット４へ通し、紫外線を照射するので、濁度の高い被処理水はそのまま船外に排出され、被処理水の流量が所定の流量になり、濁度が低下した被処理水に紫外線を照射することになり、紫外線ランプの消耗が軽減される。
そして、紫外線を照射して、紫外線照射センサ５で検出した紫外線ランプの照度が所定照度になるまで被処理水の船外排出を続け、紫外線ランプの照度が所定照度になったらバラストタンク６へ注水するので、所定照度になった紫外線ランプにより紫外線照射され無害化処理された処理水がバラスト水としてバラストタンクへ送り込まれる。
【００８２】
［制御手段２９が有する第２制御機能による無害化処理］
まず、未処理水排水弁２４、船外排出弁１９を開き、フィルタバイパス弁１４、処理水弁１５、逆流防止弁１６、バラスト供給弁１７、バラスト注水弁１８を閉じ、ポンプ２を起動する。ポンプ２の起動により、被処理水が被処理水汲み上げライン１０から汲み上げられてバラスト水処理ライン１に通水される。バラスト水処理ライン１に通水された被処理水は、未処理水排水バイパスライン２２を通りフィルタ３、紫外線照射ユニット４をバイパスして、船外排出手段７で船外排出ライン１２から船外に排出される。
流量計２８でバラスト水処理ライン１を通過する被処理水の流量が所定の流量になったことを検出したら、未処理水排水バイパスライン２２を閉じ、フィルタバイパス弁１４、逆流防止弁１６、バラスト供給弁１７を開き、被処理水を紫外線照射ユニット４へ通し、紫外線ランプに通電し紫外線を照射して、紫外線照射センサ５で検出した紫外線ランプの照度が所定照度になるまで被処理水の船外排出が続けられる。
この後、紫外線ランプの照度が所定照度の直前の照度、即ち第一設定照度になったことが紫外線照射センサ５で検出されたら、フィルタバイパス弁１４を閉じ、処理水弁１５を開いて被処理水をフィルタ３へ通して、紫外線照射ユニット４を通過させて船外へ排出する。そして、紫外線ランプの照度が所定照度になったことが検出されたら、船外排出弁１９を閉じ、バラスト注水弁１８を開く。
【００８３】
これにより、前記した第１制御機能による無害化処理の作用に加え、被処理水の汲み上げ開始時には、被処理水をフィルタ３をバイパスさせ、紫外線ランプの照度が所定照度の直前の照度になったことが紫外線照射センサ５で検出されたら、処理水弁１５を開いて被処理水をフィルタ３へ通すので、フィルタ３の詰まりが軽減されることになる。
【００８４】
［制御手段２９が有する第３制御機能による無害化処理］
まず、未処理水排水弁２４、船外排出弁１９を開き、フィルタバイパス弁１４、処理水弁１５、逆流防止弁１６、バラスト供給弁１７、バラスト注水弁１８を閉じ、ポンプ２を起動する。ポンプ２の起動により、被処理水が被処理水汲み上げライン１０から汲み上げられてバラスト水処理ライン１に通水される。バラスト水処理ライン１に通水された被処理水は、未処理水排水バイパスライン２２を通りフィルタ３、紫外線照射ユニット４をバイパスして、船外排出手段７で船外排出ライン１２から船外に排出される。
流量計２８でバラスト水処理ライン１を通過する被処理水の流量が所定の流量になったことを検出したら、未処理水排水バイパスライン２２を閉じ、フィルタバイパス弁１４、逆流防止弁１６、バラスト供給弁１７を開き、被処理水を紫外線照射ユニット４へ通し、紫外線ランプに通電し紫外線を照射して、紫外線照射センサ５で検出した紫外線ランプの照度が所定照度になるまで被処理水の船外排出が続けられる。
この後、紫外線ランプの照度が所定照度になったことが検出されたら、フィルタバイパス弁１４を閉じ、処理水弁１５を開いて被処理水をフィルタ３へ通して、紫外線照射ユニット４を通過させて船外へ排出する。そして、この時点からさらに所定時間遅延経過するまで被処理水が船外排出手段７で船外に排出される。紫外線ランプの照度が所定照度になった時点から所定時間遅延経過したら、船外排出弁１９を閉じ、バラスト注水弁１８を開く。
【００８５】
これにより、前記した第１制御機能による無害化処理の作用に加え、紫外線を照射して、紫外線照射センサ５で検出した紫外線ランプの照度が所定照度になるまで被処理水の船外排出を続け、紫外線ランプの照度が所定照度になった時点から所定時間遅延経過したらバラストタンク６へ注水するので、紫外線照射ユニット４の下流側のバラスト水処理ライン１に存在する無害化処理が不十分のままにある被処理水は船外に排出され、所定照度になった紫外線ランプにより紫外線照射されて確実に無害化処理された処理水のみがバラスト水としてバラストタンク６へ送り込まれる。また、被処理水の汲み上げ開始時には、被処理水をフィルタ３をバイパスさせ、紫外線ランプの照度が所定照度の直前の照度になったことが紫外線照射センサ５で検出されたら、処理水弁１５を開いて被処理水をフィルタ３へ通すので、フィルタ３の詰まりが軽減されることになる。
【符号の説明】
【００８６】
１  バラスト水処理ライン
２  ポンプ
３  フィルタ
４  紫外線照射ユニット
５  紫外線照射センサ
６  バラストタンク
７  船外排出手段
８  制御手段
１０  被処理水汲み上げライン
１１  バラスト水注水ライン
１２  船外排出ライン
１３  フィルタバイパスライン
１４  フィルタバイパス弁
１５  処理水弁
１６  逆流防止弁
１７  バラスト供給弁
１８  バラスト注水弁
１９  船外排出弁
２２  未処理水排水バイパスライン
２３  制御手段
２４  未処理水排水弁
２５  濁度測定手段
２６、２７  制御手段
２８  流量計
２９  制御手段
【図１】
0005692652.tif 000002
【図２】
0005692652.tif 000003
【図３】
0005692652.tif 000004
【図４】
0005692652.tif 000005